(57)【要約】      （修正有）【課題】現金入出金システムにおける担当者カードの間違いに起因する誤取引を防止する手段を提供する。【解決手段】レジスタに、硬貨収納箱を着脱可能に装着すると共に、硬貨収納箱にレジスタのレジ番号を記録したＩＣチップを設け、現金入出金装置１に、硬貨収納箱を挿抜可能に受入れる硬貨収納箱挿入部２８を設けると共に、硬貨収納箱挿入部２８に硬貨収納箱に記録されたレジ番号を読取るレジスタ情報読取部を設け、担当者カードのカード情報に、レジスタのレジ番号を記録しておき、レジスタ情報読取部が読取った硬貨収納箱のレジ番号と、カード情報読取部６が読取ったカード情報のレジ番号とが一致したときに、現金入出金装置１における取引処理に用いる硬貨収納箱を認証する。【選択図】図１
2008242781.tif 000002
【特許請求の範囲】
【請求項１】
担当者カードに記録されたカード情報を読取るカード情報読取部と、釣銭として用いる硬貨を収納する硬貨釣銭収納庫とを有する現金入出金装置と、
該現金入出金装置から出金した釣銭の硬貨を収納する硬貨収納箱を有するレジスタとを備えた現金入出金システムにおいて、
前記レジスタに、前記硬貨収納箱を着脱可能に装着すると共に、前記硬貨収納箱に前記レジスタのレジ番号を記録した記録手段を設け、
前記現金入出金装置に、前記硬貨収納箱を挿抜可能に受入れる硬貨収納箱挿入部を設けると共に、該硬貨収納箱挿入部に前記硬貨収納箱の記録手段に記録されたレジ番号を読取るレジスタ情報読取部を設け、
前記担当者カードのカード情報に、レジスタのレジ番号を記録しておき、
前記レジスタ情報読取部が前記記憶手段から読取った前記硬貨収納箱のレジ番号と、前記カード情報読取部が読取ったカード情報のレジ番号とが一致したときに、前記現金入出金装置における取引処理に用いる硬貨収納箱を認証することを特徴とする現金入出金システム。
【請求項２】
請求項１において、
前記レジスタに、該レジスタのレジ番号を格納した記憶部を設けると共に、前記硬貨収納箱の記録手段に記録されたレジ番号を読取るレジスタ情報読取部を設け、
前記レジスタ情報読取部が前記記録手段から読取った前記硬貨収納箱のレジ番号と、前記記憶部に格納されているレジ番号とが一致したときに、前記レジスタにおけるレジ業務処理に用いる硬貨収納箱を認証することを特徴とする現金入出金システム。
【請求項３】
請求項１または請求項２において、
出金取引時に、前記硬貨収納箱挿入部に挿入された前記硬貨収納箱に前記硬貨釣銭収納庫の硬貨を出金することを特徴とする現金入出金システム。
【請求項４】
請求項１または請求項２において、
入金取引時に、前記硬貨収納箱挿入部に挿入された前記硬貨収納箱から硬貨の入金を行うことを特徴とする現金入出金システム。
【請求項５】
担当者カードに記録されたカード情報を読取るカード情報読取部と、釣銭として用いる硬貨を収納する硬貨釣銭収納庫とを有する現金入出金装置において、
レジスタに着脱可能に装着され、前記レジスタのレジ番号を記録した記録手段を有する硬貨収納箱を挿抜可能に受入れる硬貨収納箱挿入部と、
該硬貨収納箱挿入部に設けられ、前記硬貨収納箱の記憶手段に記録されたレジ番号を読取るレジスタ情報読取部とを設け、
前記担当者カードのカード情報に、レジスタのレジ番号を記録しておき、
前記レジスタ情報読取部が前記記憶手段から読取った前記硬貨収納箱のレジ番号と、前記カード情報読取部が読取ったカード情報のレジ番号とが一致したときに、取引処理に用いる硬貨収納箱を認証することを特徴とする現金入出金装置。
【請求項６】
請求項５において、
出金取引時に、前記硬貨収納箱挿入部に挿入された前記硬貨収納箱に前記硬貨釣銭収納庫の硬貨を出金することを特徴とする現金入出金装置。
【請求項７】
請求項５において、
入金取引時に、前記硬貨収納箱挿入部に挿入された前記硬貨収納箱から硬貨の入金を行うことを特徴とする現金入出金装置。
【請求項８】
現金入出金装置から出金した釣銭の硬貨を収納する硬貨収納箱を有するレジスタにおいて、
当該レジスタのレジ番号を格納した記憶部と、
前記硬貨収納箱に設けられ、レジスタのレジ番号を記録した記録手段と、
該記録手段に記録されたレジ番号を読取るレジスタ情報読取部とを設け、
硬貨収納箱を、前記現金入出金装置に挿抜可能に構成すると共に、前記レジスタに着脱可能に装着し、
前記レジスタ情報読取部が前記記憶手段から読取った前記硬貨収納箱のレジ番号と、前記記憶部に格納されているレジ番号とが一致したときに、レジ業務処理に用いる硬貨収納箱を認証することを特徴とするレジスタ。
【請求項９】
請求項８において、
出金取引時に、前記硬貨収納箱を前記現金入出金装置に挿入して、該硬貨収納箱に前記釣銭を出金することを特徴とするレジスタ。
【請求項１０】
請求項８において、
入金取引時に、前記硬貨収納箱を前記現金入出金装置に挿入して、該硬貨収納箱から硬貨の入金を行うことを特徴とするレジスタ。
【発明の詳細な説明】
【技術分野】
【０００１】
本発明は、百貨店やスーパーマーケット、コンビニエンスストア等の小売業の店舗に設置に設置された複数のレジスタと、レジスタへの釣銭用の現金の出金処理や、レジスタから回収する現金の入金処理、および締上処理等の店舗内の売上金の管理を行う現金入出金装置とを備えた現金入出金システムおよびそれに用いる現金入出金装置とレジスタに関する。
【背景技術】
【０００２】
従来の現金入出金システムは、店舗に設置された紙幣や硬貨を収納するドロアを有する複数のレジスタと、店舗内の売上金の管理を行う現金入出金装置とを備え、現金入出金装置は、紙幣の投入および引渡しを行う紙幣入出金口と、担当者カードに記録されたカード情報を読取るカードリーダと、釣銭のための紙幣を収納する紙幣釣銭収納庫と、紙幣を収納する紙幣回収庫と、硬貨の投入を行う硬貨入金口と、硬貨の引渡しを行う硬貨出金口と、釣銭のための硬貨を収納する硬貨釣銭収納庫と、硬貨を収納する硬貨回収庫とを備え、レジスタに釣銭用の現金を出金する出金処理においては、レジ担当者がカードリーダへ挿入した担当者カードのカード情報を読取り、その担当者カードを正当と判定したときに、レジ担当者が釣銭の金種別の枚数を入力すると、その金種と枚数に応じた紙幣および硬貨（現金）をそれぞれ紙幣釣銭収納庫および硬貨釣銭収納庫から繰出し、これらを紙幣入出金口および硬貨出金口へ搬送してレジ担当者に引渡し、レジ担当者はこれをレジスタへ運び、そのレジスタのドロアに収納して顧客とのレジ業務を行っている。
【０００３】
また、レジスタから回収する現金を収納する入金処理においては、レジ担当者はレジスタのドロアに収納されている現金を取出し、これを現金入出金装置へ持参して、カードリーダへ担当者カードを挿入し、現金入出金装置がそのカード情報を読取って担当者カードを正当と判定したときに、紙幣入出金口および硬貨入金口への紙幣および硬貨の投入を受入れ、その入金金額が確定されると、釣銭金種と鑑別された紙幣および硬貨は、紙幣釣銭収納庫および硬貨釣銭収納庫に金種別に収納し、釣銭金種以外の紙幣は紙幣回収庫に収納して、各回収庫に売上金額に相当する紙幣および硬貨を収納すると共に、各釣銭収納庫に収納された釣銭金種の紙幣および硬貨をリサイクル使用している（例えば、特許文献１参照。）。
【特許文献１】特開２００５−３８０６２号公報（主に第３頁段落０００９−００１１、第６頁段落００２８−第９頁段落００５３、第１図、第２図、第４図、第５図）
【発明の開示】
【発明が解決しようとする課題】
【０００４】
しかしながら、上述した従来の技術においては、各レジスタからの現金の入金処理や各レジスタへの出金処理においては、担当者カードのみを用いて現金の入出金管理を行っているため、出金取引時に用いた担当者カードとは異なる担当者カードで入金取引を行ってしまうと、釣銭準備金を出金したレジスタと、現金を回収したレジスタとが一致しないことになり、現金入出金装置内で分別される売上金額と、釣銭準備金とが誤った金額で収納されてしまう誤取引が発生するという問題がある。
【０００５】
本発明は、上記の問題点を解決するためになされたもので、担当者カードの間違いに起因する誤取引を防止する手段を提供することを目的とする。
【課題を解決するための手段】
【０００６】
本発明は、上記課題を解決するために、担当者カードに記録されたカード情報を読取るカード情報読取部と、釣銭として用いる硬貨を収納する硬貨釣銭収納庫とを有する現金入出金装置と、該現金入出金装置から出金した釣銭の硬貨を収納する硬貨収納箱を有するレジスタとを備えた現金入出金システムにおいて、前記レジスタに、前記硬貨収納箱を着脱可能に装着すると共に、前記硬貨収納箱に前記レジスタのレジ番号を記録した記録手段を設け、前記現金入出金装置に、前記硬貨収納箱を挿抜可能に受入れる硬貨収納箱挿入部を設けると共に、該硬貨収納箱挿入部に前記硬貨収納箱に記録されたレジ番号を読取るレジスタ情報読取部を設け、前記担当者カードのカード情報に、レジスタのレジ番号を記録しておき、前記レジスタ情報読取部が読取った前記硬貨収納箱のレジ番号と、前記カード情報読取部が読取ったカード情報のレジ番号とが一致したときに、前記現金入出金装置における取引処理に用いる硬貨収納箱を認証することを特徴とする。
【発明の効果】
【０００７】
これにより、本発明は、出金取引時に釣銭準備金を出金した硬貨収納箱と、入金取引を受付けた硬貨収納箱とを確実に一致させることができ、担当者カードの間違いに起因する誤取引を確実に防止することができるという効果が得られる。
【発明を実施するための最良の形態】
【０００８】
以下に、図面を参照して本発明による現金入出金システムの実施例について説明する。
【実施例】
【０００９】
図１は実施例の現金入出金装置を示すブロック図、図２は実施例の硬貨収納箱挿入部および硬貨収納箱を示す説明図、図３は実施例のレジスタを示すブロック図、図４は実施例の出金処理を示すフローチャート、図５は実施例の入金処理を示すフローチャート、図６は実施例の締上処理を示すフローチャート、図７は実施例のレジスタの硬貨収納庫認の証処理を示すフローチャートである。
【００１０】
本実施例の現金入出金システムは、百貨店やスーパーマーケット、コンビニエンスストア等の小売業の店舗に設置され、店舗内の売上金の管理を行う現金入出金装置１と、店舗に設置された複数のレジスタ２とにより構成される。
現金入出金装置１、レジスタの担当者（レジ担当者という。）が操作して店舗の売場に設置されている複数のレジスタ２（図３参照）へ予め収納する釣銭（釣銭準備金という。）の出金およびレジスタ２から回収された現金の入金を行う機能、締上時に入金金額や出金金額、売上金額、装置内の有高を集計してこれらを記載した伝票を発行する機能等を有している。
【００１１】
図１において、３は現金入出金装置１の主制御部であり、現金入出金装置１内の各部を制御して出金処理や入金処理、締上処理等を実行する。
４は現金入出金装置１の主記憶部であり、主制御部３が実行するプログラムや主制御部３による処理結果等が格納される。
５は表示部であり、ＬＣＤ等の表示画面を備えており、各種の処理操作の案内および出金処理における出金金額等の入力画面や、入金処理における入金金額やその金種別の枚数等を表示する。
【００１２】
６はカード情報読取部としてのカードリーダであり、レジスタ２の現金を入出金するレジ担当者や売上げの締上を行う管理者等が、それぞれ携帯する担当者カードをパスさせたときに、そのカード情報を読取る機能を有している。
本実施例の担当者カードには、カード情報として、レジ担当者や管理者等の利用者の別を示す利用者区分、レジスタ２を特定する情報としてのレジ番号、およびカードを特定するための情報としてのカード番号等が記録されている。
【００１３】
また、レジ担当者の担当者カードは、レジスタ２毎またはレジ担当者毎に用意され、レジ担当者毎に用意する場合は、そのレジ担当者が複数のレジスタ２を操作するのであれば、使用するレジスタ２毎に担当者カードが支給される。
７は入力部であり、レジ担当者や管理者が入金処理や出金処理、締上処理等を行うことを指示するための操作キーおよび出金金額等を入力するためのテンキー等により構成されている。
【００１４】
この場合に、表示部５にタッチキー等の入力機能を持たせるようにしてもよい。
８はプリンタ等の伝票印刷部であり、現金入出金装置１による入金処理や出金処理の金額（金種別の枚数を含む。）等を伝票に印刷して発行する機能を有している。
１０は紙幣取扱部であり、以下に示す構成を備えている。
１１は紙幣取扱部１０の制御部であり、主制御部３からの指令により、紙幣取扱部１０の各部を制御して紙幣の搬送制御や収納制御等の各種の処理を実行する。
【００１５】
１２は紙幣入出金口であり、紙幣入出金口１２を開閉するための紙幣シャッタが設けられており、レジ担当者等が投入した紙幣を受入れる紙幣入金口として機能すると共に、レジ担当者等へ釣銭準備金の紙幣を引渡す紙幣出金口として機能する。
１３は紙幣鑑別部であり、搬入された紙幣の真偽、正損、金種等を鑑別して金種別に計数する。
【００１６】
１４は紙幣一時保留部であり、紙幣入出金口１２に投入され、紙幣鑑別部１３で鑑別、計数された紙幣を集積して一時待機させると共に、一時待機させていた紙幣を繰出す機能を有している。
１５は紙幣釣銭収納庫であり、釣銭として使用する金種（釣銭金種という。）の紙幣（本実施例では５千円券と千円券）を金種別に収納する収納庫であって、釣銭準備金として出金する紙幣を繰出す機能、および釣銭金種の紙幣を循環使用するために入金が確定された紙幣を収納する機能等を備えており、収納する金種別に保管基準額が設定されている。
【００１７】
１６は紙幣回収庫であり、現金入出金装置１に着脱可能に装着された金庫であって、入金が確定された売上金額を構成する紙幣が金種別に収納される。
１７は紙幣リジェクト庫であり、紙幣鑑別部１３で偽券や外国紙幣等と鑑別されたリジェクト紙幣が搬送されて集積される。
紙幣取扱部１０には、上記の他に、各部の間を搬送ベルト等で挟持して紙幣を搬送する紙幣搬送路が設けられ、これらの紙幣搬送路の分岐部には紙幣の搬送方向を切替える紙幣搬送路切替機構が設けられている。
【００１８】
２０は現金取扱部としての硬貨取扱部であり、以下に示す構成を備えている。
２１は硬貨取扱部２０の制御部であり、主制御部３からの指令により、硬貨取扱部２０の各部を制御して硬貨の搬送制御や収納制御等の各種の処理を実行する。
２２硬貨入金部としての硬貨入金口であり、硬貨入金口２２を開閉するための硬貨シャッタが設けられており、補充のために投入された硬貨を受入れる機能等を有している。
【００１９】
２３は硬貨鑑別部であり、搬入された硬貨の真偽、正損、金種等を鑑別して金種別に計数する。
２４は硬貨一時保留部であり、硬貨入金口２２に投入され、硬貨鑑別部２３で鑑別、計数された硬貨を金種別に集積して一時待機させると共に、一時待機させていた硬貨を繰出す機能を有している。
【００２０】
２５は硬貨釣銭収納庫であり、釣銭金種の硬貨（本実施例では、５００円、１００円、５０円、１０円、５円、１円からなる全ての金種の硬貨）を金種別に収納する収納庫であって、釣銭準備金として出金する硬貨を繰出す機能、および釣銭金種の硬貨を循環使用するために入金が確定された硬貨を収納する機能等を備えており、収納する金種別に保管基準額が設定されている。
【００２１】
２６は硬貨回収庫であり、現金入出金装置１に着脱可能に装着された金庫であって、入金が確定された売上金額を構成する硬貨が金種別に収納される。
２７は硬貨リジェクト口であり、硬貨鑑別部２３で偽硬貨や外国硬貨等と鑑別されたリジェクト硬貨等が搬送されて集積され、レジ担当者等に返却される。
なお、硬貨リジェクト口２７は、リジェクト硬貨を収納する収納庫であってもよい。
【００２２】
２８は硬貨収納箱挿入部であり、レジスタ２から取外されて運ばれた硬貨収納箱２９を挿抜可能に受入れる挿入部であって、図２に示すように、硬貨収納箱２９に設けられたレジ番号等のレジスタ情報が記録された記録手段としての非接触式のＩＣチップ３０からレジスタ情報を無線により読取るレジスタ情報読取部３１が設けられている。
本実施例の硬貨収納箱２９のＩＣチップ３０には、レジスタ情報として、硬貨収納箱２９が装着される当該レジスタ２のレジ番号等が記録されている。
【００２３】
硬貨収納箱２９は、図２に示すように、レジスタ２のドロアに着脱可能に装着された硬貨の金種別の収納室を有する収納箱であって、その底面２９ａが図示しない開閉機構により開閉可能に構成されており、レジ担当者等が持ち運ぶことが可能になっている。
また、硬貨収納箱挿入部２８は、硬貨釣銭収納庫２５の下方に配置されており、出金処理時に釣銭準備金の硬貨が各硬貨釣銭収納庫２５から硬貨収納箱２９の各収納室に繰出されて金種別に集積され、入金処理時に挿入された硬貨収納箱２９の底面２９ａを開作動させて各収納室に収納されている硬貨を受取り、これを下部硬貨搬送路３２へ導くための受取シュータ３３が設けられている。
【００２４】
図２において、３４は硬貨分離部であり、受入れた硬貨を１枚ずつ分離して入金硬貨搬送路３５へ繰出す機能を有している。
入金硬貨搬送路３５へ硬貨分離部３４から繰出された硬貨は、硬貨鑑別部２３へ搬送され、鑑別後の硬貨は入金硬貨搬送路３５により硬貨一時保留部２４へ搬送されて、図示しない硬貨振分機構により鑑別結果に応じて、該当する硬貨一時保留部２４に集積される。
【００２５】
また、入金処理時に、硬貨収納箱２９から受取シュータ３３を介して下部硬貨搬送路３２に導かれた硬貨は、硬貨リフタ３７により硬貨分離部３４へ搬送される。
硬貨取扱部２０には、上記の他に、硬貨取扱部２０の他の部位へ硬貨を搬送する搬送ベルトやシュータ等の硬貨搬送路が設けられ、これらの硬貨搬送路の分岐部には硬貨の搬送方向を切替える硬貨搬送路切替機構が設けられている。
【００２６】
図３において、４１はレジスタ２の制御部であり、レジスタ２内の各部を制御して、装着された硬貨収納箱２９の認証処理、買上金額の集計や釣銭の算出等のレジ業務処理を実行する。
４２はレジスタ２の記憶部であり、制御部４１が実行するプログラムや制御部４１による処理結果等が格納される。
【００２７】
４３は表示部であり、ＬＣＤ等の表示画面を備えており、顧客に対する買上金額や釣銭金額等や、レジスタ担当者に対するエラー画面等を表示する。
４４は入力部であり、レジ担当者が顧客から受取った現金の金額等を入力するためのテンキーや、商品に付されたバーコードを読取るためのバーコードリーダ等により構成されている。
【００２８】
４５はレジスタ情報読取部であり、レジスタ２に装着された硬貨収納箱２９のＩＣチップ３０に記録されたレジスタ情報を無線により読取る機能を有している。
上記の現金入出金装置１の主記憶部４には、硬貨収納箱挿入部２８に挿入された硬貨収納箱２９から読取ったレジスタ情報のレジ番号と、カードリーダ６に挿入された担当者カードから読取ったカード情報のレジ番号との一致により、取引処理に用いる硬貨収納箱２９を認証し、出金処理のときに、入力された釣銭準備金の金種別の枚数（または金額）に応じた紙幣を紙幣釣銭収納庫１５から繰出して紙幣入出金口１２へ出金すると共に、釣銭準備金に応じた硬貨を硬貨釣銭収納庫２５から繰出して硬貨収納箱挿入部２８に挿入されている硬貨収納箱２９へ出金する機能、入金処理のときに、紙幣入出金口１２へ投入された紙幣を紙幣鑑別部１３により鑑別して紙幣一時保留部１４に一時待機させると共に、硬貨収納箱挿入部２８に挿入された硬貨収納箱２９から排出された硬貨を硬貨鑑別部２３により鑑別して硬貨一時保留部２４に一時待機させ、入金金額の確定後に釣銭金種の現金をそれぞれの釣銭収納庫に収納すると共に、売上金額を構成する現金をそれぞれの回収庫に収納する機能、読取ったレジ番号およびカード番号を基に、同一のレジ番号およびカード番号で記録されている直近の入金情報を特定してその後の出金情報を抽出して突合せ、その出金情報に突合フラグを立てる突合処理を行う機能、および突合せた出金金額を入金金額から減じて売上金額を算出する機能、締上処理のときに、前回の締上処理から今回の締上処理までの間の入金情報および突合フラグが付された出金情報等を全て読出し、これらを集計して、総入金金額や総出金金額、総売上金額を算出すると共に、それぞれの釣銭収納庫や回収庫に収納されている紙幣や硬貨の有高を係数する機能等を有する現金管理処理プログラムが予め格納されており、主制御部３が実行する現金管理処理プログラムのステップにより、本実施例の現金入出金装置１のハードウェアとしての各機能手段が形成される。
【００２９】
また、主記憶部４には、硬貨収納箱２９の各収納室の最大収納量が金種別に登録される他、レジ担当者毎に付与された個人ＩＤに対応させて、そのレジ担当者のパスワードやカード番号からなる個人登録情報が予め登録されている。
更に、主記憶部４には、紙幣釣銭収納庫１５や硬貨釣銭収納庫２５に金種別に収納されている釣銭金種の紙幣や硬貨の収納枚数が金種別にカウントされて記憶され、紙幣回収庫１６や硬貨回収庫２６に金種別に収納されている紙幣や硬貨の収納枚数が金種別にカウントされて記憶される他、入金処理時の入金情報や出金情報を記録する入出金情報記録テーブルが格納されている。
【００３０】
入出金情報記録テーブルには、通番、レジ番号、カード番号、個人ＩＤ、処理日時、区分、金額、金種、締上日時、突合等の各枠からなる出金情報または入金情報の記録欄が設けられており、各記録欄の通番枠には処理毎に付与される通し番号が書込まれる。
カード番号枠には、レジ担当者の担当者カードから読取ったカード番号が書込まれる。
レジ番号枠には、硬貨収納箱２９から読取ったレジ番号が書込まれる。このレジ番号は出金金額等のレジスタ２毎の集計や、入金処理時の突合処理の際等に利用される。
【００３１】
個人ＩＤ枠には、レジ担当者が入力した個人ＩＤが書込まれる。
処理日時枠には、入金処理または出金処理を実行したときの日付および時刻が書込まれる。
区分枠には、処理が入金処理であるか出金処理があるかを示す情報が書込まれる。
金額枠には、入金処理または出金処理の入金金額または出金金額が書込まれる。
【００３２】
金種枠の、万、５千・・・１等の各枠には、入金処理または出金処理における金種別の処理枚数がそれぞれ書込まれる。
締上日時枠には、締上処理を実行したときの日付および時刻が書込まれる。この締上日時は、締上処理がされたか否かを示す情報で、これが書込まれたものについては締上処理対象から除外される。
【００３３】
突合枠には、入金処理の際に行われる突合処理により抽出した出金処理に対して、入金処理が行われたことを示す突合フラグ（本実施例では「済」を表す記号またはコード）が書込まれる。
本実施例の入金情報は、前記の区分枠に「入金」と書込まれた記録欄の各情報で構成され、出金情報は、前記の区分枠に「出金」と書込まれた記録欄の各情報で構成される。
【００３４】
上記のレジスタ２の記憶部４２には、当該レジスタ２のレジ番号が予め格納される他、入力部４４のバーコードリーダにより入力された買上金額を集計する機能や、レジスタ担当者が入力した顧客から受取った現金の額から買上金額の集計額を減じて釣銭金額を算出する機能等のレジ業務処理を実行する機能を有する通常のレジ業務処理プログラムに、レジスタ２に装着された硬貨収納箱２９から読取ったレジスタ情報のレジ番号と、記憶部４２に予め格納されているレジ番号との一致によりレジ業務処理に用いる硬貨収納箱２９の認証を行う認証処理を行う機能を有するアプリケーションプログラム等が追加されたレジ業務実行プログラムが予め格納されており、制御部４１が実行するレジ業務実行プログラムのステップにより、本実施例のレジスタ２のハードウェアとしての各機能手段が形成される。
【００３５】
以下に、図４に示すフローチャートを用い、Ｓで示すステップに従って本実施例の出金処理について説明する。
Ｓ１、レジスタ２のドロアに収納する釣銭準備金を出金するレジ担当者は、レジスタ２のドロアから空の硬貨収納箱２９を取外し、これを現金入出金装置１へ運んで、その硬貨収納箱挿入部２８に持参した硬貨挿入箱２９を挿入する。
【００３６】
これを検知した現金入出金装置１の主制御部３は、現金管理処理プログラムにより、硬貨収納箱挿入部２８のレジスタ情報読取部３１によって硬貨挿入箱２９のＩＣチップ３０に記録されているレジ番号等のレジスタ情報を読取る。
Ｓ２、次いでレジ担当者は、携帯している担当者カードをカードリーダ６にパスさせる。
【００３７】
これを検知した主制御部３は、カードリーダ６によって担当者カードに記録されているレジ番号や利用者区分等のカード情報を読取る。
Ｓ３、レジスタ情報およびカード情報を読取った主制御部３は、それぞれに記されているレジ番号を読出してこれらを照合し、レジ番号が一致している場合は、挿入された硬貨挿入箱２９を認証してステップＳ５へ移行する。レジ番号が不一致の場合は、挿入された硬貨挿入箱２９による取引処理を不可と判定してステップＳ４へ移行する。
【００３８】
Ｓ４、レジ番号の不一致により挿入された硬貨挿入箱２９による取引処理を不可と判定した主制御部３は、表示部５の画面に担当者カードのレジ番号と、硬貨収納箱２９のレジ番号とが不一致である旨のエラーメッセージ等を表示したエラー画面を表示する。
レジ担当者は、表示内容を確認して入力部７の操作キーによって「確認」を押下する。これを検知した主制御部３は、現金管理処理を終了させ、硬貨収納箱挿入部２８による硬貨挿入箱２９の検知、またはカードリーダ６による担当者カードの検知を待って待機する。
【００３９】
Ｓ５、挿入された硬貨挿入箱２９を認証した主制御部３は、表示部５の画面に個人ＩＤおよびパスワードのそれぞれの入力欄を表示した個人ＩＤ等入力画面を表示し、レジ担当者は入力部７のテンキー等によりレジ担当者の個人ＩＤおよびパスワードを入力する。
これを検知した主制御部３は、これらの入力を受付け、入力された個人ＩＤを基に、主記憶部４の個人登録情報から該当する個人ＩＤのパスワード等を抽出し、抽出した個人登録情報のパスワードと入力されたパスワードとの一致、並びに個人登録情報と読取ったカード情報とのカード番号の一致により担当者カードの正当性を判定してステップＳ６へ移行する。
【００４０】
Ｓ６、担当者カードの正当性を判定した主制御部３は、カード情報の利用者区分に基づき、そのレジ担当者が操作を許可されている業務の内容を表示したメニュー画面を表示部５の画面に表示する。
Ｓ７、レジ担当者は、表示されたメニュー画面を確認して出金を選択し、入力部７の操作キーから出金処理の操作キーを押下する。
【００４１】
Ｓ８、操作キーの押下により取引処理の入力を受付けた主制御部３は、出金処理が選択されたことを認識し、表示部５の画面に釣銭金種の金種別の枚数入力欄等を表示した出金内訳入力画面を表示する。
レジ担当者は、入力部７のテンキーにより金種別の出金枚数を入力して出金内訳を入力する。
【００４２】
Ｓ９、出金内訳の入力を受付けた主制御部３は、入力された金種別の枚数により出金すべき金種とその枚数を認識し、主記憶部４に記憶されている紙幣釣銭収納庫１５および硬貨釣銭収納庫２５の金種別の紙幣および硬貨の収納枚数を確認し、収納枚数が入力された金種別の枚数以上のときは、出金可能と判定してステップＳ１０へ移行する。収納枚数が入力された金種別の枚数未満の場合は、出金不可と判定し、その旨を表示部５の画面に表示して出金処理を終了させ、硬貨収納箱挿入部２８による硬貨挿入箱２９の検知、またはカードリーダ６による担当者カードの検知を待って待機する。
【００４３】
Ｓ１０、出金可能と判定した主制御部３は、出金する現金の計数出金処理を実行する。
すなわち、主制御部３は、出金する金種別の紙幣の枚数を記した紙幣出金指令を紙幣取扱部１０の制御部１１へ、出金する金種別の硬貨の枚数を記した硬貨出金指令を硬貨取扱部２０の制御部２１へそれぞれ送出する。
紙幣出金指令を受けた紙幣取扱部１０の制御部１１は、紙幣出金指令の金種に該当する紙幣を紙幣釣銭収納庫１５から紙幣鑑別部１３により鑑別、計数しながら指定された枚数分繰出し、これを紙幣入出金口１２へ搬送して集積する。
【００４４】
また、硬貨出金指令を受けた硬貨取扱部２０の制御部２１は、硬貨出金指令の金種に該当する硬貨を硬貨釣銭収納庫２５から硬貨収納箱挿入部２８に挿入されている硬貨収納箱２９の各収納室へ、それぞれ指定された枚数分繰出して硬貨収納箱２９に金種別に集積する。
そして、紙幣の集積を終えた制御部１１は、紙幣入出金口１２の紙幣シャッタを開放してレジ担当者に紙幣を引渡す。
【００４５】
また、硬貨の集積を終えた制御部２１は、硬貨収納箱挿入部２８の硬貨収納箱２９に金種別に集積された硬貨をレジ担当者にそのまま引渡す。
レジ担当者の紙幣入出金口１２からの紙幣の取出しを確認した制御部１１、および硬貨収納箱挿入部２８の硬貨収納箱２９の取出しを確認した制御部２１は、それぞれ出金終了通知を主制御部３へ送出する。
【００４６】
Ｓ１１、これらの出金終了通知を受けた主制御部３は、計数出金処理の終了を認識し、硬貨収納箱２９から読取ったレジ番号およびカード情報のカード番号、入力された個人ＩＤ、出金処理の処理日時、出金処理の旨の区分、出金した金額、出金した金種別の枚数、空枠の締上日時および空の突合フラグからなる出金情報を作成し、主記憶部４の入出金情報記録テーブルの空欄となっている記録欄に次の通番を付与して出金情報の各情報を書込み、入出金情報記録テーブルを更新すると共に、紙幣釣銭収納庫１５、硬貨釣銭収納庫２５から繰出した金種別の枚数を、主記憶部４に記憶されているそれぞれの金種別の収納枚数から減じて、それぞれの金種別の収納枚数を更新する。
【００４７】
Ｓ１２、出金情報の記録等を終えた主制御部３は、出金情報を基に印刷データを生成し、これを伝票印刷部８へ送って、出金した金種別の枚数やその合計金額、レジ番号等を印刷した伝票を伝票印刷部８から排出して発行し、レジ担当者は発行された伝票を受取る。
発行した伝票の受取りを確認した主制御部３は、出金処理を終了させ、硬貨収納箱挿入部２８による硬貨挿入箱２９の検知、またはカードリーダ６による担当者カードの検知を待って待機する。
【００４８】
このようにして、本実施例の現金入出金装置１による各レジスタ２単位の出金処理が実行され、その出金情報が主記憶部４の入出金情報記録テーブルに記録される。
以下に、図５に示すフローチャートを用い、ＳＡで示すステップに従って本実施例の入金処理について説明する。
ＳＡ１、レジスタ２から回収する現金の入金を行うレジ担当者は、レジスタ２のドロアから、そこに収納されている紙幣を取出すと共に硬貨が収納された硬貨収納箱２９を取外し、これを現金入出金装置１へ運んで、その硬貨収納箱挿入部２８に持参した硬貨挿入箱２９を挿入する。
【００４９】
これを検知した現金入出金装置１の主制御部３は、現金管理処理プログラムにより、上記ステップＳ１と同様にして、硬貨挿入箱２９のレジスタ情報を読取る。
ＳＡ２、次いでレジ担当者は、携帯している担当者カードをカードリーダ６にパスさせる。
これを検知した主制御部３は、上記ステップＳ２と同様にして、担当者カードのカード情報を読取る。
【００５０】
なお、出金処理の際に用いた担当者カードに、破損や紛失等による不具合が生じた場合には、同一レジ番号の他の担当者カード（カード番号は異なる）を用いるようにする。
この場合には、主記憶部４の個人登録情報に、レジ担当者の個人ＩＤに対応させて他の担当者カードのレジ番号やカード番号を予め登録する。
ＳＡ３、レジスタ情報およびカード情報を読取った主制御部３は、上記ステップＳ３と同様にして、レジ番号を照合し、レジ番号が一致している場合は、挿入された硬貨挿入箱２９を認証してステップＳＡ５へ移行する。レジ番号が不一致の場合は、挿入された硬貨挿入箱２９による取引処理を不可と判定してステップＳ４へ移行する。
【００５１】
ＳＡ４、レジ番号の不一致により挿入された硬貨挿入箱２９による取引処理を不可と判定した主制御部３は、上記ステップＳ４と同様にして、エラー画面を表示し、レジ担当者が入力部７によって「確認」を押下すると、これを検知した主制御部３は、現金管理処理を終了させ、硬貨収納箱挿入部２８による硬貨挿入箱２９の検知、またはカードリーダ６による担当者カードの検知を待って待機する。
【００５２】
ＳＡ５、挿入された硬貨挿入箱２９を認証した主制御部３は、上記ステップＳ５と同様にして、個人ＩＤ等入力画面を表示し、レジ担当者が個人ＩＤおよびパスワードを入力すると、主制御部３は、上記ステップＳ５と同様にして、担当者カードの正当性を判定してステップＳＡ６へ移行する。
ＳＡ６、担当者カードの正当性を判定した主制御部３は、上記ステップＳ６と同様にして、メニュー画面を表示する。
【００５３】
ＳＡ７、レジ担当者は、表示されたメニュー画面を確認して入金を選択し、入力部７の操作キーから入金処理の操作キーを押下する。
ＳＡ８、操作キーの押下により取引処理の入力を受付けた主制御部３は、入金処理が選択されたことを認識し、入金される現金の取込処理を実行する。
すなわち、主制御部３は、入金される紙幣の取込を指示する旨の紙幣取込指令を紙幣取扱部１０の制御部１１へ、入金される硬貨の取込を指示する旨の硬貨取込指令を硬貨取扱部２０の制御部２１へそれぞれ送出する。
【００５４】
紙幣取込指令を受けた紙幣取扱部１０の制御部１１は、紙幣入出金口１２の紙幣シャッタを開放してレジ担当者からの紙幣の投入を受付け、レジ担当者が持参した紙幣を紙幣入出金口１２へ投入すると、これを検知した制御部１１は、紙幣シャッタ閉鎖し、紙幣入出金口１２により受入れた紙幣を紙幣鑑別部１３へ搬送し、その紙幣の真偽、金種等を鑑別して金種別に計数し、真券と鑑別された紙幣を紙幣一時保留部１４へ搬送して一時待機させる。このときリジェクト紙幣と鑑別された紙幣は、紙幣リジェクト庫１７へ搬送されて収納される。
【００５５】
また、硬貨取込指令を受けた硬貨取扱部２０の制御部２１は、硬貨収納箱挿入部２８に挿入されている硬貨収納箱２９の底面２９ａを開作動させて各収納室の硬貨を受取シュータ３３を介して下部硬貨搬送路３２に導き、下部硬貨搬送路３２によりその硬貨を、硬貨リフタ３７へ搬送し、硬貨リフタ３７により硬貨分離部３４へ搬送して集積し、硬貨分離部３４から１枚ずつ繰出された硬貨を、入金硬貨搬送路３５により硬貨鑑別部２３へ搬送し、その硬貨の真偽、金種等を鑑別して金種別に計数し、真正と鑑別された硬貨を入金硬貨搬送路３５により硬貨一時保留部２４へ搬送して金種別に一時待機させる。このときリジェクト硬貨と鑑別された硬貨は、硬貨リジェクト口２７へ搬送されてレジ担当者に返却される。
【００５６】
そして、紙幣の紙幣一時保留部１４への集積を終えた制御部１１、および硬貨の硬貨一時保留部２４への集積を終えた制御部２１は、それぞれ計数した金種別の枚数を記した取込終了通知を主制御部３へ送出する。
ＳＡ９、これらの取込終了通知を受けた主制御部３は、各取込終了通知に記された取込処理における金種別の枚数を主記憶部４に一時保存して、現金の取込処理を終了させ、表示部５の画面に金種別の計数結果とその入金金額、および確認を促す旨の文言を表示した計数結果確認画面を表示する。
【００５７】
レジ担当者は、表示された計数結果が正しいと判断した場合は入力部７の操作キーによって「確認」を押下する。表示された計数結果と持参した現金とが一致しないと判断した場合は入力部７の操作キーによって「取消」を押下する。
ＳＡ１０、操作キーの押下により指示の入力を受付けた主制御部３は、「確認」の操作キーが押下されたと認識した場合は、入金金額が確定されたと判定してステップＳＡ１２へ移行する。「取消」の操作キーが押下されたと認識した場合は、これを返却要求と判定してステップＳＡ１１へ移行する。
【００５８】
ＳＡ１１、返却要求と判定した主制御部３は、一時待機させた現金の返却処理を実行する。
すなわち、主制御部３は、一時待機させた紙幣の返却を指示する旨の紙幣返却指令を紙幣取扱部１０の制御部１１へ、一時待機させた硬貨の返却を指示する旨の硬貨返却指令を硬貨取扱部２０の制御部２１へそれぞれ送出する。
【００５９】
紙幣返却指令を受けた紙幣取扱部１０の制御部１１は、紙幣一時保留部１４に一時待機させた紙幣を紙幣入出金口１２へ搬送し、紙幣シャッタを開放して一時待機させた紙幣をレジ担当者に返却する。
また、硬貨返却指令を受けた硬貨取扱部２０の制御部２１は、硬貨一時保留部２４に一時待機させた硬貨を、図示しない返却硬貨搬送路により硬貨リジェクト口２７へ搬送して一時待機させた硬貨をレジ担当者に返却する。
【００６０】
そして、レジ担当者の紙幣入出金口１２からの紙幣の取出しを確認した制御部１１、および硬貨リジェクト口２７からの硬貨の取出しを確認した制御部２１は、それぞれ返却終了通知を主制御部３へ送出する。
これらの返却終了通知を受けた主制御部３は、入金処理を終了させ、硬貨収納箱挿入部２８による硬貨挿入箱２９の検知、またはカードリーダ６による担当者カードの検知を待って待機する。
【００６１】
ＳＡ１２、入金金額が確定されたと判定した主制御部３は、突合処理を実行する。
すなわち、主制御部３は、硬貨収納箱２９から読取ったレジ番号および担当者カードから読取ったカード番号を基に主記憶部４の入出金情報記録テーブルを検索し、同一のレジ番号およびカード番号が記録された直近の入金情報を特定し、それまでに存在する同一のレジ番号およびカード番号が記録された全ての出金情報を抽出し、抽出した出金情報の突合枠に突合フラグ（本実施例では、「済」）を書込んで入出金情報記録テーブルを更新する。
【００６２】
そして、主制御部３は、抽出した出金情報の出金金額を合計した額を、確定された入金金額から減じて売上金額を算出する。
ＳＡ１３、突合処理を終えた主制御部３は、主記憶部４から一時保存した取込処理における紙幣の金種別の枚数の中から釣銭金種以外の紙幣（本実施例では、万円券、２千円券が該当する。）の金種別の枚数を読出し、これらの合計金額を売上金額から減じて不足金額を算出し、釣銭金種の高額金種を優先させて不足金額を構成する紙幣の金種別の構成枚数を算出し、その合計金額を不足金額から減じて紙幣のみでは構成できない端数金額を算出し、硬貨の釣銭金種の高額金種を優先させて端数金額を構成する硬貨の金種別の構成枚数を算出する。
【００６３】
売上金額の紙幣および硬貨の金種別の構成枚数を算出した主制御部３は、一時待機させた現金の収納処理を実行する。
すなわち、主制御部３は、一時待機させた紙幣の収納を指示する旨に売上金額を構成する紙幣の金種別の構成枚数を添付した紙幣収納指令を紙幣取扱部１０の制御部１１へ、一時待機させた硬貨の収納を指示する旨に売上金額を構成する硬貨の金種別の構成枚数を添付した硬貨収納指令を硬貨取扱部２０の制御部２１へそれぞれ送出する。
【００６４】
紙幣収納指令を受けた紙幣取扱部１０の制御部１１は、紙幣一時保留部１４に一時待機させた紙幣を紙幣鑑別部１３へ搬送し、その紙幣の金種等を鑑別して金種別に計数し、鑑別された紙幣が、売上金額を構成する紙幣の金種に該当する場合は、その構成枚数に達するまで紙幣回収庫１６へ搬送して金種別に収納し、他の釣銭金種の紙幣は紙幣釣銭収納庫１５へ搬送して金種別に収納する。
【００６５】
また、硬貨収納指令を受けた硬貨取扱部２０の制御部２１は、硬貨一時保留部２４に金種別に一時待機させた硬貨の中から、売上金額を構成する硬貨の金種に該当する硬貨をその硬貨一時保留部２４から構成枚数に達するまで繰出し、これを硬貨回収庫２６へ搬送して金種別に収納し、他の釣銭金種の硬貨は硬貨一時保留部２４からそれぞれ硬貨釣銭収納庫２５へ繰出して金種別に収納する。
【００６６】
そして、売上金額を構成するの紙幣の紙幣回収庫１６への収納および釣銭金種の紙幣の紙幣釣銭収納庫１５への収納を終えた制御部１１、並びに売上金額を構成する硬貨の硬貨回収庫２６への収納および釣銭金種の硬貨の硬貨釣銭収納庫２５への収納を終えた制御部２１は、それぞれ収納終了通知を主制御部３へ送出する。
これらの収納終了通知を受けた主制御部３は、紙幣回収庫１６、紙幣釣銭収納庫１５、硬貨回収庫２６、硬貨釣銭収納庫２５に収納した金種別の枚数を、主記憶部４に記憶されているそれぞれの金種別の収納枚数に加えて、それぞれの金種別の収納枚数を更新し、収納処理を終了させてステップＳＡ１４へ移行する。
【００６７】
ＳＡ１４、収納処理を終えた主制御部３は、硬貨収納箱２９から読取ったレジ番号およびカード情報のカード番号、入力された個人ＩＤ、入金処理の処理日時、入金処理の旨の区分、入金された金額、入金された金種別の枚数、空枠の締上日時、突合不要の旨の突合フラグ（本実施例では「−」）からなる入金情報を作成し、主記憶部４の入出金情報記録テーブルの空欄となっている記録欄に次の通番を付与して入金情報の各情報を書込み、入出金情報記録テーブルを更新する。
【００６８】
ＳＡ１５、入金情報の記録を終えた主制御部３は、売上金額や入金情報を基に印刷データを生成し、これを伝票印刷部８へ送って、入金された金種別の枚数やその合計金額、レジ番号、売上金額等を印刷した伝票を伝票印刷部８から排出して発行し、レジ担当者は発行された伝票を受取る。
発行した伝票の受取りを確認した主制御部３は、入金処理を終了させ、硬貨収納箱挿入部２８による硬貨挿入箱２９の検知、またはカードリーダ６による担当者カードの検知を待って待機する。
【００６９】
このようにして、本実施例の現金入出金装置１による各レジスタ２単位の入金処理が実行され、その入金情報が主記憶部４の入出金情報記録テーブルに記録される。
以下に、図６に示すフローチャートを用い、ＳＢで示すステップに従って本実施例の締上処理について説明する。
ＳＢ１、店舗全体の現金の締上げを行う管理者は、カードリーダ６に管理者の担当者カードをパスさせる。
【００７０】
これを検知した現金入出金装置１の主制御部３は、現金管理処理プログラムにより、上記ステップＳ２と同様にして、担当者カードのカード情報を読取る。
ＳＢ２、カード情報を読取った主制御部３は、上記ステップＳ５と同様にして、個人ＩＤ等入力画面を表示し、管理者が個人ＩＤおよびパスワードを入力すると、これを検知した主制御部３は、上記ステップＳ５と同様にして、担当者カードの正当性を判定してステップＳＢ３へ移行する。
【００７１】
ＳＢ３、担当者カードの正当性を判定した主制御部３は、カード情報の利用者区分に基づき、その管理者が操作を許可されている業務の内容を表示したメニュー画面を表示部５の画面に表示する。
ＳＢ４、管理者は、表示されたメニュー画面を確認して締上げを選択し、入力部７の操作キーから締上処理の操作キーを押下する。
【００７２】
ＳＢ５、操作キーの押下により取引処理の入力を受付けた主制御部３は、締上処理が選択されたことを認識し、主記憶部４の入出金情報記録テーブルから、締上日時が書込まれていない入金情報と、締上日時が書込まれておらず、かつ突合フラグが書込まれている出金情報とを全て、つまり前回の締上処理から今回の締上処理までの間の突合せが行われた入金情報と出金情報、および担当者カードに不具合が生じた際に、他の担当者カードを用いて入金処理を行った場合の集計結果の不具合を防止するために、前回締上処理以後の締上日時が書込まれていない出金情報を全て抽出すると共に、主記憶部４の紙幣釣銭収納庫１５、硬貨釣銭収納庫２５、紙幣回収庫１６、硬貨回収庫２６のそれぞれの金種別の収納枚数を読出し、抽出した入金情報および出金情報の入金金額および出金金額をレジ番号別に集計すると共に、入金情報および出金情報の金種別の枚数をレジ番号別に集計し、各レジ番号別にその売上金額を算出すると共に今回締上処理における総出金金額、総入金金額、総売上金額を算出する。
【００７３】
そして、主制御部３は、算出した総売上金額、総入金金額、総出金金額とこれらの金種別の枚数、レジ番号別の売上金額とその金種別の枚数、釣銭用として収納されている紙幣釣銭収納庫１５、硬貨釣銭収納庫２５の金種別の収納枚数（有高）、紙幣回収庫１６、硬貨回収庫２６の金種別の収納枚数（有高）等を表示した締上金額確認画面を表示部５の画面に表示する。
【００７４】
管理者は、表示された内容を確認して、入力部７の操作キーによって「確認」を押下する。
ＳＢ６、操作キーの押下により指示の入力を受付けた主制御部３は、「確認」の操作キーの押下により締上金額が確認されたことを認識し、ステップＳＢ５で抽出した全ての入金情報および出金情報の締上日時枠に、締上処理を実行した日時を書込んで、入出金情報記録テーブルを更新する。
【００７５】
ＳＢ７、入出金情報記録テーブルの更新を終えた主制御部３は、締上金額確認画面で表示した内容の印刷データを生成し、これを伝票印刷部８へ送って、締上金額確認画面と同様の内容を印刷した伝票を伝票印刷部８から排出して発行し、管理者は発行された伝票を受取る。
発行した伝票の受取りを確認した主制御部３は、締上処理を終了させ、硬貨収納箱挿入部２８による硬貨挿入箱２９の検知またはカードリーダ６による担当者カードの検知を待って待機する。
【００７６】
このようにして、本実施例の現金入出金装置１による店舗全体の締上処理が実行され、その締上日時が主記憶部４の入出金情報記録テーブルに記録されると共に、総売上金額に相当する紙幣および硬貨が、紙幣回収庫１６および硬貨回収庫２６に収納される。
以下に、図７に示すフローチャートを用い、ＳＣで示すステップに従って本実施例のレジスタの硬貨収納庫認の証処理について説明する。
【００７７】
ＳＣ１、出金処理により釣銭準備金を硬貨収納箱２９に収納したレジ担当者は、その硬貨収納箱２９をレジスタ２のドロアに装着する。
これを検知したレジスタ２の制御部４１は、レジ業務実行プログラムの認証処理プログラムにより、レジスタ情報読取部４５によって硬貨挿入箱２９のＩＣチップ３０に記録されているレジ番号等のレジスタ情報を読取る。
【００７８】
ＳＣ２、レジスタ情報を読取った制御部４１は、記憶部４２に格納されている当該レジスタ２のレジ番号を読出す。
ＳＣ３、当該レジスタ２のレジ番号を読出した主制御部３は、レジスタ情報に記されているレジ番号を読出し、これと記憶部４２から読出したレジ番号とを照合し、レジ番号が一致している場合は、装着された硬貨挿入箱２９を認証してステップＳＣ５へ移行する。レジ番号が不一致の場合は、装着された硬貨挿入箱２９によるレジ業務処理を不可と判定してステップＳＣ４へ移行する。
【００７９】
Ｓ４、レジ番号の不一致により装着された硬貨挿入箱２９によるレジ業務処理を不可と判定した制御部４１は、表示部４３の画面に当該レジスタのレジ番号と、硬貨収納箱２９のレジ番号とが不一致である旨のエラーメッセージ等を表示したエラー画面を表示する。
レジ担当者は、表示内容を確認して入力部４４によって確認操作を行う。これを検知した制御部４１は、認証処理を終了させ、硬貨挿入箱２９の装着を待って待機する。
【００８０】
ＳＣ５、装着された硬貨挿入箱２９を認証した制御部４１は、レジ業務実行プログラムのレジ業務処理プログラムにより、レジスタ２のレジ業務処理を通常通りに実行する。
この場合のレジ業務処理の作動は、通常の場合と同様であるのでその説明を省略する。
上記のように、本実施例の現金入出金システムにおいては、レジスタ２に着脱可能に装着された硬貨入出金箱２９のＩＣチップ３０に当該レジスタ２のレジ番号を記録しておき、これを現金入出金装置１の硬貨集金箱挿入部２８に挿入して、硬貨入出金箱２９から読取ったレジ番号と、担当者カードのレジ番号との一致により挿入された硬貨収納箱２９を認証して取引処理を受付けるので、出金取引時に用いた担当者カードとは異なる担当者カードで入金取引を行った場合には、その不一致をレジ担当者に警告することが可能になり、出金取引時に釣銭準備金を出金したレジスタと、現金を回収したレジスタとが一致しないことによる現金入出金装置１内での売上金額と、釣銭準備金との誤った分別を防止して、担当者カードの間違いに起因する誤取引を防止することができる。
【００８１】
また、レジスタ２に装着された硬貨収納箱２９に記録されたレジ番号と、記憶部４２に格納されたレジ番号との一致により、装着された硬貨収納箱２９を認証してレジ業務処理を開始するので、異なったレジ番号の硬貨収納箱２９によるレジ業務処理を防止して、現金入出金装置１における誤取引を未然に防止することができる。
更に、レジスタ２に装着された硬貨収納箱２９を、釣銭準備金を収納する出金箱および硬貨を回収する入金箱として用いることができるので、レジ担当者の利便性を向上させることができる。
【００８２】
以上説明したように、本実施例では、レジスタに、硬貨収納箱を着脱可能に装着すると共に硬貨収納箱に当該レジスタのレジ番号を記録した記録手段を設け、現金入出金装置に、硬貨収納箱を挿抜可能に受入れる硬貨収納箱挿入部を設けると共に、硬貨収納箱挿入部に硬貨収納箱に記録されたレジ番号を読取るレジスタ情報読取部を設け、担当者カードのカード情報にレジスタのレジ番号を記録しておき、現金入出金装置のレジスタ情報読取部が読取った硬貨収納箱のレジ番号と、カード情報読取部が読取ったカード情報のレジ番号とが一致したときに、現金入出金装置における取引処理に用いる硬貨収納箱を認証するようにしたことによって、出金取引時に釣銭準備金を出金した硬貨収納箱と、入金取引を受付けた硬貨収納箱とを確実に一致させることができ、担当者カードの間違いに起因する誤取引を確実に防止することができる。
【００８３】
また、レジスタに、当該レジスタのレジ番号を格納した記憶部を設けると共に、硬貨収納箱に記録されたレジ番号を読取るレジスタ情報読取部を設け、レジスタ情報読取部が読取った硬貨収納箱のレジ番号と、記憶部に格納されているレジ番号とが一致したときに、レジスタにおけるレジ業務処理に用いる硬貨収納箱を認証するようにしたことによって、異なったレジ番号の硬貨収納箱によるレジ業務処理を確実に防止して、現金入出金装置における誤取引を未然に防止することができる。
【００８４】
更に、出金取引時に、硬貨収納箱挿入部に挿入された硬貨収納箱に硬貨釣銭収納庫の硬貨を出金し、入金取引時に、硬貨収納箱挿入部に挿入された硬貨収納箱から硬貨の入金を行うようにしたことによって、硬貨収納箱を、釣銭準備金を収納する出金箱および硬貨を回収する入金箱として用いることができ、レジ担当者の利便性を向上させることができる。
なお、上記実施例においては、硬貨収納箱に設ける記録手段は、非接触式のＩＣチップであるとして説明したが、記録手段は前記に限らず、レジ番号を記載したバーコード等であってもよい。この場合に現金入出金装置に設けるレジスタ情報読取部はバーコードリーダ等で構成し、レジスタに設けるレジスタ情報読取部は入力部のバーコードリーダを兼用で用いるようにするとよい。
【００８５】
また、上記実施例においては、担当者カードには、利用者区分とレジ番号、カード番号等を記録するとして説明したが、レジ番号を記録せずに個人登録情報のみに登録しておいてもよく、レジ番号を処理時に入力させるようにしてもよい。
また、上記実施例のステップＳ１１、ＳＡ１４、ＳＢ６においては、入出金情報記録テーブルの更新後に伝票を発行するとして説明したが、伝票の発行後に入出金情報記録テーブルの更新を行うようにしてもよい。
【図面の簡単な説明】
【００８６】
【図１】実施例の現金入出金装置を示すブロック図
【図２】実施例の硬貨収納箱挿入部および硬貨収納箱を示す説明図
【図３】実施例のレジスタを示すブロック図
【図４】実施例の出金処理を示すフローチャート
【図５】実施例の入金処理を示すフローチャート
【図６】実施例の締上処理を示すフローチャート
【図７】実施例のレジスタの硬貨収納庫認の証処理を示すフローチャート
【符号の説明】
【００８７】
１    現金入出金装置
２    レジスタ
３    主制御部
４    主記憶部
５、４３  表示部
６    カードリーダ
７、４４  入力部
８    伝票印刷部
１０  紙幣取扱部
１１、２１  制御部
１２  紙幣入出金口
１３  紙幣鑑別部
１４  紙幣一時保留部
１５  紙幣釣銭収納庫
１６  紙幣回収庫
１７  紙幣リジェクト庫
２０  硬貨取扱部
２２  硬貨入金口
２３  硬貨鑑別部
２４  硬貨一時保留部
２５  硬貨釣銭収納庫
２６  硬貨回収庫
２７  硬貨リジェクト口
２８  硬貨収納箱挿入部
２９  硬貨収納箱
２９ａ  底面
３０  ＩＣチップ
３２  下部硬貨搬送路
３３  受取シュータ
３４  硬貨分離部
３５  入金硬貨搬送路
３７  硬貨リフタ
４１  制御部
４２  記憶部
４５  レジスタ情報読取部
【図１】
2008242781.tif 000003
【図２】
2008242781.tif 000004
【図３】
2008242781.tif 000005
【図４】
2008242781.tif 000006
【図５】
2008242781.tif 000007
【図６】
2008242781.tif 000008
【図７】
2008242781.tif 000009